(57)【要約】  眼用装置１００Ａが、光学部品１１０と、光学部品に結合されたハプティック構造１２０Ａとを含む。光学部品は光軸を含む。ハプティック構造は光学部品に結合されている。ハプティック構造は、患者の眼の水晶体嚢内に眼用装置を保持する。ハプティック構造の少なくとも一部分は、断面と、その断面の一部分の外周を形成する周面１２８Ａとを有する。周面の少なくとも一部分は、水晶体嚢に接触し、且つ滑らかに曲がっている。
2021500965.tif 000002
【特許請求の範囲】
【請求項１】
眼用装置であって、
光軸を含む光学部品と；
前記光学部品に結合され且つ患者の眼の水晶体嚢内に前記眼用装置を保持するためのハプティック構造であって、前記ハプティック構造の少なくとも一部分は、断面と、前記断面の一部分の外周を形成する周面とを有し、前記周面の少なくとも一部分は、前記水晶体嚢に接触し、且つ滑らかに曲がっている、ハプティック構造と
を含む、眼用装置。
【請求項２】
前記周面の全てが滑らかに曲がっている、請求項１に記載の眼用装置。
【請求項３】
前記ハプティック構造は、前記周面とは別の鋭い縁を含む、請求項１に記載の眼用装置。
【請求項４】
前記ハプティック構造は、後嚢混濁（ＰＣＯ）を減少させるためのテクスチャー、ＰＣＯを減少させるための特徴、ＰＣＯを減少させるための第１のコーティング、及び前記水晶体嚢への前記ハプティック構造の接着性を低下させるための、前記周面の少なくとも一部分上の第２のコーティングのうちの少なくとも１つを含む、請求項１〜３のいずれか１項に記載の眼用装置。
【請求項５】
前記ハプティック構造は閉ループハプティック構造である、請求項１〜４のいずれか１項に記載の眼用装置。
【請求項６】
前記ハプティック構造は開ループハプティック構造である、請求項１〜４のいずれか１項に記載の眼用装置。
【請求項７】
前記断面の少なくとも一部分は凸状である、請求項１〜６のいずれか１項に記載の眼用装置。
【請求項８】
前記断面の少なくとも一部分は凹状である、請求項１〜７のいずれか１項に記載の眼用装置。
【請求項９】
前記断面の少なくとも一部分は実質的に平坦である、請求項１〜８のいずれか１項に記載の眼用装置。
【請求項１０】
眼用装置であって：
光軸を含む光学部品と；
前記光学部品に結合され且つ前記眼用装置を患者の眼の水晶体嚢内に保持するための閉ループハプティック構造であって、前記閉ループハプティック構造の少なくとも一部分は、断面と、前記断面の一部分の外周を形成する周面とを有する、閉ループハプティック構造と
を含み、
前記水晶体嚢に接触する前記周面の少なくとも第１の部分は、滑らかに曲がっており；
前記断面の少なくとも一部分は凹状であり；及び
前記閉ループハプティック構造は、後嚢混濁（ＰＣＯ）を減少させるためのテクスチャー、ＰＣＯを減少させるための鋭い縁、ＰＣＯを減少させるための特徴、ＰＣＯを減少させるための第１のコーティング、及び前記水晶体嚢への前記ハプティック構造の接着性を低下させるための、前記周面の少なくとも第２の部分上の第２のコーティングのうちの少なくとも１つを含む、眼用装置。
【発明の詳細な説明】
【技術分野】
【０００１】
本開示は、概して眼用レンズ、より詳細は、流線形の断面形状を備えるハプティック（haptic）構造を有する眼内レンズに関する。
【背景技術】
【０００２】
眼内レンズ（ＩＯＬ）は、患者の天然の水晶体を置き換えるために患者の眼に移植され得る。ＩＯＬは、一般に、（１）患者の視力を矯正する光学部品（例えば、一般に屈折又は回析による）、及び（２）光学部品を患者の眼内（例えば、水晶体嚢（ｃａｐｓｕｌａｒ  ｂａｇ）内）の適所にとどめる支持構造を構成するハプティックを含む。概して、医師は、光学部品が患者に対して適切な矯正特性を有するＩＯＬを選択する。白内障などの状態に対してしばしば行われる眼科手術の最中、外科医は、患者の眼の水晶体嚢を切開し（嚢切開）、且つその切開部を通してＩＯＬを挿入することによって、選択したＩＯＬを移植する。一般に、ＩＯＬは、角膜の切開部を経由して水晶体嚢に挿入するために折り畳まれ、ひとたび水晶体嚢内の適所になると広げられる。広げる最中、ハプティックは、それぞれの小さなセクションが水晶体嚢にもたれるように拡張し、ＩＯＬを適所に保持し得る。
【０００３】
場合によっては、ＩＯＬは、取り除かれる、すなわち体外へ取り出される（ｅｘｐｌａｎｔｅｄ）必要がある。ＩＯＬを体外へ取り出すために、ＩＯＬは、細かく切られ、切開部を通して取り除かれる。ＩＯＬはまた、ハプティックが拡張された後、外科的処置の最中に再位置決めされ得る。ＩＯＬの体外への取り出し又は再位置決めのいずれかでは、ハプティックは、水晶体嚢から離される。しかしながら、ハプティックは水晶体嚢に接着し得るため、ハプティックの動きによって、水晶体嚢を損傷させたり又は引き裂いたりする可能性がある。患者へのそのような傷害は望ましくない。
【０００４】
ＩＯＬが適所に留まる場合でも、欠点がある場合がある。ＩＯＬは、後部水晶体嚢（ｐｏｓｔｅｒｉｏｒ  ｃａｐｓｕｌａｒ  ｂａｇ）に筋（ｓｔｒｉａｅ）又は折り重なりを生じ得る。水晶体嚢の筋は、細胞の増殖及び／又は移動のための機構を提供することによって、後嚢混濁（ＰＣＯ：ｐｏｓｔｅｒｉｏｒ  ｃａｐｓｕｌａｒ  ｏｐａｃｉｆｉｃａｔｉｏｎ）を生じ得る。それゆえ、ＰＣＯに対処する機構が望まれている。
【発明の概要】
【発明が解決しようとする課題】
【０００５】
従って、ＰＣＯに対処し得る一方で、ＩＯＬの再位置決め及び体外への取り出しを可能にする改良型ＩＯＬが必要とされている。
【課題を解決するための手段】
【０００６】
いくつかの実施形態では、眼用装置は、光学部品と、光学部品に結合されたハプティック構造とを含む。光学部品は光軸を含む。ハプティック構造は光学部品に結合されている。ハプティック構造は、患者の眼の水晶体嚢内に眼用装置を保持する。ハプティック構造の少なくとも一部分は、ある断面と、その断面の一部分の外周を形成する周面とを有する。周面の少なくとも一部分は、水晶体嚢に接触し、且つ滑らかに曲がっている。
【０００７】
ある実施形態では、本明細書で説明するハプティック形状は、１つ以上の技術的利点を持ち得る。例えば、本明細書で説明するハプティック形状を有するＩＯＬは、既存のＩＯＬと比較して、より簡単に体外への取り出し及び／又は再位置決めがなされ得る。
【０００８】
本開示及びその利点をより完全に理解するために、ここで、添付図面と併せて以下の説明を参照し、図面では、同様の符号は同様の特徴を示す。
【図面の簡単な説明】
【０００９】
【図１Ａ−１Ｊ】断面が流線形の周囲を有するハプティック構造を有する眼用装置の例示的な実施形態の様々な図を示す。
【図２Ａ−２Ｂ】断面が流線形の周囲を有するハプティック構造を有する眼用装置の一部分の別の例示的な実施形態を示す。
【図３Ａ−３Ｂ】断面が流線形の周囲を有するハプティック構造を有する眼用装置の一部分の別の例示的な実施形態を示す。
【図４Ａ−４Ｂ】断面が流線形の周囲を有するハプティック構造を有する眼用装置の一部分の別の例示的な実施形態を示す。
【図５】断面が流線形の周囲を有するハプティック構造を有する眼用装置の一部分の別の例示的な実施形態を示す。
【図６】断面が流線形の周囲を有するハプティック構造を有する眼用装置の一部分の別の例示的な実施形態を示す。
【図７】断面が流線形の周囲を有するハプティック構造を有する眼用装置の一部分の別の例示的な実施形態を示す。
【図８】断面が流線形の周囲を有するハプティック構造を有する眼用装置の一部分の別の例示的な実施形態を示す。
【図９】断面が流線形の周囲を有するハプティック構造を有する眼用装置の一部分の別の例示的な実施形態を示す。
【図１０】断面が流線形の周囲を有するハプティック構造を有する眼用装置の一部分の別の例示的な実施形態を示す。
【図１１Ａ−１１Ｃ】断面が流線形の周囲を有するハプティック構造で使用され得るテクスチャー／パターンの例示的な実施形態を示す。
【発明を実施するための形態】
【００１０】
当業者は、下記で説明する図面は説明のためにすぎないことを理解する。図面は、本出願人の開示の範囲をなんら限定するものではない。
【００１１】
例示的な実施形態は、眼内レンズ（ＩＯＬ）などの眼用装置に関する。以下の説明は、当業者が本発明を作製及び使用できるようにするために提供され、及び特許出願及びその条件の内容において提供される。例示的な実施形態に対する様々な修正例、並びに本明細書で説明する一般的原理及び特徴は、容易に分かる。「例示的な実施形態」、「一実施形態」及び「別の実施形態」などの語句は、同じ又は異なる実施形態並びに複数の実施形態を指し得る。実施形態は、一定の構成要素を有するシステム及び／又は装置に関して説明する。しかしながら、システム及び／又は装置は、図示のものよりも多い又は少ない構成要素を含んでいてもよく、並びに構成要素の配置構成及びタイプの変形は、本発明の範囲から逸脱せずになされ得る。それゆえ、本発明は、図示の実施形態に限定されるものではないが、本明細書で説明する原理及び特徴と一致する最も広い範囲であるものとする。
【００１２】
概して、本開示は、光学部品と、光学部品に結合されたハプティック構造とを含む眼用装置に関する。光学部品は光軸を含む。ハプティック構造は光学部品に結合されている。ハプティック構造は、患者の眼の水晶体嚢内に眼用装置を保持する。ハプティック構造の少なくとも一部分は、ある断面と、その断面の一部分の外周を形成する周面とを有する。周面の少なくとも一部分は、水晶体嚢に接触し、且つ滑らかに曲がっている。
【００１３】
図１Ａ〜１Ｇは、断面が流線形の周囲を有する閉ループハプティック構造１２０Ａを有する眼用装置１００Ａの例示的な実施形態の様々な図を示す。下記で説明するように、他の実施形態では、開ループハプティック構造を使用してもよい。簡潔にするために、眼用装置１００ＡはＩＯＬ１００Ａと称してもよい。明確にするために、図１Ａ〜１Ｇは、縮尺通りではなく、全ての構成要素が示されているわけではない場合がある。ＩＯＬ１００Ａは、ハプティック構造１２０Ａ並びに光学部品１１０を含む。図１Ａ及び図１Ｂは、ＩＯＬ１００Ａの平面図及び側面図である。図１Ｃは、ハプティック構造１２０Ａの一部分の断面図である。図１Ｄは、患者の眼で使用するときの、ハプティック構造１２０Ａのその部分の断面図である。図１Ｅは、操作されているときのＩＯＬ１００Ａの平面図である。図１Ｆは、操作されているときのハプティック構造１２０Ａの一部分の断面図である。図１Ｇは、ハプティック構造１２０Ａの操作に伴う力を示す。
【００１４】
光学部品１１０は、患者の視力を矯正するために使用され得る眼用レンズ１１０である。例えば、光学部品は、屈折及び／又は回折レンズとし得る。光学部品１１０は、単焦点レンズ、多焦点レンズ、トーリックレンズ、調節型又は別の類似のレンズとし得る。それゆえ、光学部品１１０の前面及び／又は後面は、限定するものではないが、基本曲率及び１つ又は複数の回折格子を含む特徴を有し得る。光学部品１１０は、患者の視力を矯正するために光を屈折及び／又は回折し得る。光学部品１１０は、図１Ａの紙面の平面から出る光軸１１２を有する。光学部品１１０は、図１Ａの平面図では円形フットプリントを有するとして示されている。他の実施形態では、光学部品１１０は、異なる形状のフットプリントを有してもよい。いくつかの実施形態では、光学部品１１０はまた、明確にするために図示しない他の特徴を含み得る。光学部品１１０は、様々な可撓性光学材料のうちの１種以上で形成され得る。例えば、光学部品１１０は、限定するものではないが、シリコーン、ヒドロゲル、及びアクリルのうちの１種以上を含み得る（例えばＡｃｒｙＳｏｆ（登録商標））。
【００１５】
ハプティック構造１２０Ａは、患者の眼の水晶体嚢（図１Ａ〜１Ｃ及び図１Ｅには明確に図示せず）内の適所に眼用装置１００Ａをとどめるために使用される支持構造である。水晶体嚢１３０Ａの一部分を図１Ｄに示す。ハプティック構造１２０Ａは、閉ループ１２２Ａ−１及び１２２Ａ−２（まとめて１２２）及び内側リング又はフレーム１２４Ａを含む。フレーム１２４Ａの内側部分は、光学部品１１０の形状に適合することが望ましい。他の実施形態では、フレーム１２４Ａは省略されてもよい。いくつかの実施形態では、ハプティック構造１２０Ａ及び光学部品１１０は、一緒に成形されてもよい。それゆえ、光学部品１１０及びハプティック１２０Ａは、単一のモノリシック構造を形成し得る。他の実施形態では、ハプティック構造１２０Ａは、他の方法で光学部品１１０に取り付けられ得る。例えば、ハプティック構造１２０Ａは、既存の光学部品１１０にボンディングされ得るか又はその周囲に成形され得る。
【００１６】
ループ１２２Ａは、水晶体嚢１３０Ａにもたれることによって、ＩＯＬ１００Ａを患者の眼内の適所に保持する。ループ１２２Ａのそれぞれは、大きな角度で対する。それゆえ、ループ１２２Ａは、開ループを有するハプティックよりもかなり大きな角度にわたって水晶体嚢に接触する。その結果、安定性が高められ、及び筋の形成が減少され得る。２つの閉ループ１２２Ａを示すが、別の数のループが使用されてもよい。閉ループ１２２Ａの形状は異なってもよい。さらに、他の実施形態では、閉ループではなく開ループが使用されてもよい。例えば、図１Ｈ及び図１Ｊは、ＩＯＬ１００Ａと類似のＩＯＬ１００Ａ’及び１００Ａ”を示す。図１Ｈは、Ｃ字形状の開ループ１２２Ａ−１’及び１２２Ａ−２’（まとめてループ１２２Ａ’）を有するＩＯＬ１００Ａ’を示す。図１Ｊは、Ｌ字形状の開ループ１２２Ａ−１”及び１２２Ａ−２”を有するＩＯＬ１００Ａ”を示す。それゆえ、ＩＯＬ１００Ａ’及び１００Ａ”は、ループ１２２Ａ’及び１２２Ａ”が開放していることを除いて、ＩＯＬ１００Ａと同じとし得る。例えば、開ループ１２２Ａ’及び１２２Ａ”の断面は、閉ループ１２２Ａの断面と同じとし得る。
【００１７】
図１Ｃ及び図１Ｄは、例えば図１Ａに示す線Ａ−Ａに沿って取った、閉ループ１２２Ａの断面を示す。図１Ａでは断面の特定の箇所を示すが、他の実施形態では、断面は、閉ループ１２２Ａ−１の別の部分において及び／又は他方の閉ループ１２２Ａ−２の少なくとも一部に関して同じとし得る。図１Ｃ〜１Ｄに示す断面は、水晶体嚢にもたれる１つ又は複数のループ１２２Ａの少なくとも一部に関する。いくつかの実施形態では、各ループ１２２Ａの全体の断面が示されている。他の実施形態では、例えばフレーム１２４Ａの近くなど、水晶体嚢１３０Ａにもたれないループ１２２Ａの部分は、異なる断面を有してもよい。
【００１８】
１つ又は複数のループ１２２Ａの断面は、内周面１２６Ａ及び外周面１２８Ａを有する。外周面１２８Ａは、ループ１２２Ａの外側にあり、及び図１Ｄに示すように水晶体嚢１３０Ａにもたれ得る。外周面１２８Ａは水晶体嚢１３０Ａに力を加える。それゆえ、外周面は、水晶体嚢１３０Ａを拡張させ且つ水晶体嚢１３０Ａ内でＩＯＬ１００Ａを安定化させるのを支援し得る。内周面１２６Ａは、外周面１２８Ａに対向し、及びループ１２２Ａの内側を形成する。それゆえ、内周面１２６Ａの少なくとも一部は、水晶体嚢に接触しない、又は水晶体嚢に加える力が著しく弱いことがあり得る。ループではなくアームがハプティック構造１２０Ａに存在する場合、内周面は、水晶体嚢にもたれない断面の部分を形成する。
【００１９】
異なる実施形態では、全体の形状が変化しないときでも、断面の特定の形状は異なり得る。例えば、異なる実施形態では、内周面１２６Ａのコーナ１２９Ａと外周面１２８Ａとの間の長さ、及び後面と前面との間の厚さは、異なり得る。いくつかの実施形態では、厚さは、０．５ｍｍ程度とし得る。いくつかのそのような実施形態では、長さは約０．９ｍｍとし得る。他のそのような実施形態では、長さは約０．７ｍｍとし得る。それゆえ、ハプティック１２０Ａの断面は、異なるアスペクト比に対して異なる外観を有し得る。
【００２０】
外周面１２８Ａの少なくとも一部は、滑らかに曲がっている。図示の実施形態では、周面１２８Ａ全体が曲がっている。別の言い方をすれば、断面の外周面１２８Ａの幾何学的形状は、流線形である。それゆえ、巨視的には、外周面１２８Ａは、連続的ではっきりした傾斜を有する。図１Ａ〜１Ｄに示す実施形態では、外周面には、追加的なテクスチャー又は特徴は存在しない。テクスチャーは、ナノメートルからミクロン以下のオーダーの代表長を有し得る。特徴は、数十ミクロン程度の代表長すなわち特性長を有し得る。他の実施形態では、そのようなテクスチャー又は特徴が存在してもよい。しかしながら、断面の直径又は高さの規模によっては、外周面１２８Ａは滑らかに曲げられる。その湾曲した形状のために、外周面１２８Ａは、水晶体嚢１３０Ａとよりしっかりと接触し得る。これを図１Ｄに示す。その結果、ハプティック１２０Ａは、ＩＯＬ１００Ａをより良好に安定化させることができるとし得る。さらに、鋭いコーナを湾曲にして、外周面１２８Ａには鋭いコーナをなくすことは、体外へ取り出す又は再位置決めする場合に、ループ１２２Ａが水晶体嚢１３０Ａに接着して引き裂く可能性を少なくし得る。
【００２１】
例えば、図１Ｅ及び図１Ｆは、操作力Ｆmanを使用して、再位置決め又は体外への取り出し中のＩＯＬ１００Ａ及びハプティック１２０Ａを示す。図１Ｇは、ＩＯＬ１００Ａの再位置決め又は体外への取り出しに伴う力の平面図を示す。操作力Ｆmanは、ハプティックを水晶体嚢１３０Ａから離すのに使用される。操作力に応答して、ループ１２２Ａ−１は、図１Ｅに示すように変形される。より具体的には、操作力が加えられるループ１２２Ａ−１の部分は、力の方向に：光学部品１１０の方へ向かって動く。操作力に起因する反力Ｆreaction 1及びＦreaction 2は、ループ１２２Ａ−１に沿っており、及び操作力と反対方向にある。それゆえ、図１Ｇから分かるように、反力は、水晶体嚢からループ１２２Ａ−１を分離する傾向がある。さらに、ループ１２２Ａ−１はまた、トルクτを受ける。このトルクはまた、水晶体嚢１３０Ａからループ１２２Ａ−１を分離する傾向がある。それゆえ、ループ１２２Ａの断面の構成は、ループ１２２Ａが操作されているときの、水晶体嚢１３０Ａに対するループ１２２Ａの可動性を高める傾向がある。
【００２２】
外周面１２８Ａとは対照的に、内周面は、滑らかに曲がっていなくてもよい。図示の実施形態では、内周面１２６Ａは、鋭いコーナ１２９Ａを有する。巨視的には、内周面１２６Ａの傾斜は、コーナ１２９Ａにおいてはっきりしておらず、及びコーナ１２９Ａの両側で連続的ではない。それゆえ、ハプティック構造１２０Ａの断面は、涙の滴形状にされる。鋭いコーナ１２９Ａが存在するため、光学部品１１０は、全ての側面が鋭い縁で囲まれ得る。これらの鋭い縁はまた、いずれかの側面から細胞が光学部品１１０へ移動する確率を下げ得る。ＰＣＯは、減少され得るか又はなくされ得る。
【００２３】
フレーム１２４Ａはまた、鋭い外側コーナを有し得る（フレーム１２４Ａの外面に）。光学部品１１０は、鋭いコーナを有し得る（図示せず）。その結果、光学部品１１０は、全ての側面が鋭い縁によって囲まれ得る。これらの鋭い縁はまた、いずれかの側面から細胞が光学部品１１０へ移動する確率を下げ得る。ＰＣＯは、減少され得るか又はなくされ得る。
【００２４】
ＩＯＬ１００Ａは、患者の転帰を改善し得る。ループ１２２Ａの断面の流線形の外周面１２８Ａは、体外への取り出し及び／又は再位置決めの最中の、水晶体嚢１３０Ａへのループ１２２Ａの接着性を低下させ得る。それゆえ、ハプティック１２０Ａの操作に起因する患者の眼への損傷は減少され得る。外周面１２８Ａの滑らかな湾曲はまた、ＩＯＬ１００Ａが適所にあるとき、ＩＯＬ１００Ａの安定性を改善できるようにする。ハプティック構造１２０Ａの縁１２９Ａなどの鋭い縁は、さらに、ＰＣＯを減少させ得る。それゆえ、ＩＯＬ１００Ａの性能が改善され得る。
【００２５】
図２Ａ及び図２Ｂは、ＩＯＬなどの眼用装置用のハプティック構造１２０Ｂの別の例示的な実施形態を示す。明確にするために、図２Ａ及び図２Ｂは、縮尺通りではなく、全ての構成要素が示されているわけではない場合がある。図２Ａは、ハプティック構造１２０Ｂの断面を示す。図２Ｂは、使用しているときの、患者の眼の水晶体嚢１３０Ｂにもたれているハプティック構造１２０Ｂの断面を示す。ＩＯＬ、及びその一部であるハプティック１２０Ｂは、ハプティック１２０Ａ及びＩＯＬ１００Ａと類似している。従って、類似の構成要素は同様の符号を有する。それゆえ、ＩＯＬは、光学部品１１０及びハプティック構造１２０Ａと類似の、光学部品（明白には図示せず）及びハプティック構造１２０Ｂ（断面のみを示す）を含む。いくつかの実施形態では、ハプティック構造１２０Ｂは、閉ループハプティック構造であり、ループ１２２Ａと類似のループを有し、且つ任意選択的にフレーム１２４Ａと類似のフレームを含む。フレームは省略されてもよく、別のサイズの１つ又は複数のループ及び／又は別の数のループが使用されてもよい。他の実施形態では、ハプティック構造１２０Ｂは、１つ以上の開ループを有し得る。
【００２６】
ハプティック構造１２０Ｂは、ハプティック構造１２０Ａと類似した方法で機能し、且つ類似の利点を共有する。それゆえ、ハプティック構造１２０Ｂは、面１２８Ａ及び１２６Ａとそれぞれ類似する外周面１２８Ｂ及び内周面１２６Ｂを含む。しかしながら、断面の形状は異なる。周面１２８Ｂ全体は、滑らかに曲がっている。それゆえ、巨視的には、外周面１２８Ｂは、連続的ではっきりした傾斜を有する。図２Ａ〜２Ｂに示す実施形態では、外周面１２８Ｂに追加的なテクスチャー又は特徴は存在しない。別の実施形態では、テクスチャー、特徴、及び／又はコーティングがＩＯＬ１００Ｂに存在してもよい。その湾曲した形状のために、外周面１２８Ｂは、図２Ｂに示すように、水晶体嚢１３０Ｂとよりしっかりと接触し得る。その結果、ハプティック１２０Ａは、ＩＯＬ１００Ａをより良好に安定化させることができるとし得る。さらに、鋭いコーナを湾曲にして、外周面１２８Ｂには鋭いコーナをなくすことは、体外へ取り出す又は再位置決めする場合に、ループが水晶体嚢１３０Ａに接着して引き裂く可能性を少なくし得る。
【００２７】
涙の滴形状を有する代わりに、周面１２６Ｂの大部分は平坦である。それゆえ、内周面１２６Ｂは、１つの直線の側面及び２つの鋭いコーナ１２９Ｂ−１及び１２９Ｂ−２を含む。巨視的には、内周面１２６Ｂの傾斜は、コーナ１２９Ｂ−１及び１２９Ｂ−２においてはっきりしておらず、及びコーナ１２９Ｂ−１及び１２９Ｂ−２の両側で連続的ではない。鋭いコーナ１２９Ｂ−１及び１２９Ｂ−２が存在するため、光学部品（図示せず）は、後側で鋭い縁で囲まれ、ＰＣＯを減少させ得る又は防止し得る。光学部品はまた、眩輝低減のために、湾曲した縁プロファイルを有し得る。ハプティックの断面の縁プロファイルはブレンドされ、及び光学部品の縁プロファイルに滑らかに移行し得る。
【００２８】
ハプティック構造１２０Ｂは、患者の転帰を改善し得る。断面の流線形の外周面１２８Ｂは、体外への取り出し及び／又は再位置決めの最中の、水晶体嚢１３０Ｂへのハプティック構造１２０Ｂの接着性を低下させ得る。それゆえ、ハプティック１２０Ｂの操作に起因する患者の眼への損傷は減少され得る。外周面１２８Ｂの滑らかな湾曲はまた、ＩＯＬが適所にあるときの、ＩＯＬの安定性を改善できるようにする。ハプティック構造１２０Ｂ用の縁１２９Ｂ−１などの鋭い縁は、さらにＰＣＯを減少させ得る。それゆえ、ＩＯＬの性能が改善され得る。
【００２９】
図３Ａ及び図３Ｂは、ＩＯＬなどの眼用装置用のハプティック構造１２０Ｃの別の例示的な実施形態を示す。明確にするために、図３Ａ及び図３Ｂは、縮尺通りではなく、全ての構成要素が示されているわけではない場合がある。図３Ａは、ハプティック構造１２０Ｃの断面を示す。図３Ｂは、使用しているときの、患者の眼の水晶体嚢１３０Ｃにもたれているハプティック構造１２０Ｃの断面を示す。ＩＯＬ、及びその一部であるハプティック１２０Ｃは、ハプティック１２０Ａ及び／又は１２０Ｂに類似している。従って、類似の構成要素は同様の符号を有する。それゆえ、ＩＯＬは、光学部品１１０及びハプティック構造１２０Ａ及び／又は１２０Ｂと類似の光学部品（明白には図示せず）及びハプティック構造１２０Ｃを含む。いくつかの実施形態では、ハプティック構造１２０Ｂは、閉ループハプティック構造であり、ループ１２２Ａと類似のループを有し、且つ任意選択的にフレーム１２４Ａに類似のフレーム含む。フレームは省略されてもよく、別のサイズの１つ又は複数のループ及び／又は別の数のループが使用されてもよい。他の実施形態では、ハプティック構造１２０Ｃは、１つ以上の開ループを有し得る。
【００３０】
ハプティック構造１２０Ｃは、ハプティック構造１２０Ａ及び／又は１２０Ｂと類似した方法で機能し、且つ類似の利点を共有する。それゆえ、ハプティック構造１２０Ｃは、面１２８Ａ／１２８Ｂ及び１２６Ａ／１２６Ｂにそれぞれ類似する外周面１２８Ｃ及び内周面１２６Ｃを含む。しかしながら、断面の形状は異なる。外周面１２８Ｂ及び内周面１２６Ｃの全体が、滑らかに曲がっている。
【００３１】
図３Ａ〜３Ｂに示す実施形態では、追加的なテクスチャー又は特徴１２９Ｃが外周面１２８Ｃの後部に存在し得る。構成要素１２９Ｃがテクスチャー又は特徴であるかどうかは、上述のその特性サイズに依存する。このテクスチャーは、階段状パターンとして示されている。しかしながら、他のパターンが可能である。例えば、繰り返しの波形面、繰り返しの線、又は他のテクスチャー若しくは特徴が存在し得る。別の実施形態では、特徴１２９Ｃは、単に、表面の粗さとし得る。いくつかの実施形態では、テクスチャー、特徴、及び／又はコーティングがＩＯＬに存在して、ＰＣＯを減少させるのを支援し得る。その湾曲した形状のため、外周面１２８Ｃは、水晶体嚢１３０Ｃとよりしっかりと接触し得る。その結果、ハプティック１２０Ｃは、ＩＯＬをより良好に安定化させることができるとし得る。さらに、鋭いコーナを湾曲にして、外周面１２８ＡＣには鋭いコーナをなくすことは、ループ１２２ＡＣが、体外への取り出し又は再位置決めの場合に、水晶体嚢１３０Ａに接着したり又はそれを引き裂いたりする可能性を少なくし得る。
【００３２】
ハプティック構造１２０Ｃは、向上した性能を有し得る。断面の流線形の外周面１２８Ｃは、体外への取り出し及び／又は再位置決めの最中に、水晶体嚢１３０Ｃへのハプティック構造１２０Ｃの接着性を低下させ得る。それゆえ、ハプティック１２０Ｃの操作に起因する患者の眼への損傷は減少され得る。外周面１２８Ｃの滑らかな湾曲はまた、ＩＯＬが適所にあるとき、ＩＯＬの安定性を改善させることができる。ハプティック構造１２０ＢＣ用のテクスチャー／特徴１２９Ｃは、さらに、ＰＣＯを減少させ得る。それゆえ、ＩＯＬの性能は改善され得る。
【００３３】
図４Ａ及び図４Ｂは、ＩＯＬなどの眼用装置用のハプティック構造１２０Ｄの別の例示的な実施形態を示す。明確にするために、図４Ａ及び図４Ｂは、縮尺通りではなく、全ての構成要素が示されているわけではない場合がある。図４Ａは、ハプティック構造１２０Ｄの断面を示す。図４Ｂは、使用しているときの、患者の眼の水晶体嚢１３０Ｄにもたれているハプティック構造１２０Ｄの断面を示す。ＩＯＬ、及びその一部であるハプティック１２０Ｄは、ハプティック１２０Ａ、１２０Ｂ及び／又は１２０Ｃに類似している。従って、類似の構成要素は同様の符号を有する。それゆえ、ＩＯＬは、光学部品１１０及びハプティック構造１２０Ａ、１２０Ｂ及び／又は１２０Ｃに類似している光学部品（明白には図示せず）及びハプティック構造１２０Ｄを含む。いくつかの実施形態では、ハプティック構造１２０Ｃは、閉ループハプティック構造であり、ループ１２２Ａ、１２２Ｂ及び／又は１２０Ｃに類似しているループを有し、且つ任意選択的にフレーム１２４Ａに類似しているフレームを含む。フレームは省略されてもよく、別のサイズの１つ又は複数のループ及び／又は別の数のループが使用されてもよい。他の実施形態では、ハプティック構造１２０ｂは、１つ以上の開ループを有し得る。
【００３４】
ハプティック構造１２０Ｄは、ハプティック構造１２０Ａ、１２０Ｂ及び／又は１２０Ｃと類似した方法で機能し、且つ類似の利点を共有する。それゆえ、ハプティック構造１２０Ｄは、面１２８Ａ／１２８Ｂ／１２８Ｃ及び１２６Ａ／１２６Ｂ／１２６Ｃにそれぞれ類似している外周面１２８Ｄ及び内周面１２６Ｃを含む。ハプティック構造１２０Ｄの断面は、ハプティック構造１２０Ｃに最も似ている。図３Ａ及び図３Ｂに示すように垂直方向の長軸を有する代わりに、図４Ａ〜４Ｂでは長軸は水平方向にある。
【００３５】
さらに、ハプティック構造１２０Ｄはコーティング１２７Ｄを有する。ハプティック構造１２０Ｄの面の一部にのみ存在するとして示すが、コーティング１２７Ｄは、周面１２８Ｄ及び１２６Ｄ全体を被覆してもよい。コーティング１２７Ｄは、水晶体嚢１３０Ｄへの外周面１２８Ｄの接着性を制限し得る。それゆえ、コーティング１２７Ｄは、操作又は体外への取り出しを容易にし得る。例えば、コーティング１２７Ｄは、限定するものではないが、ポリエチレングリコール（ＰＥＧ）、プラスマ、及びパリレンのうちの１種以上を含み得る。
【００３６】
ハプティック構造１２０Ｄは、ＩＯＬの性能を改善し得る。断面の流線形の外周面１２８Ｂは、体外への取り出し及び／又は再位置決めの最中の水晶体嚢１３０Ｄへのハプティック構造１２０Ｄの接着性を低下させ得る。コーティング１２７Ｄも再位置決め及び／又は体外への取り出しを容易にし得る。それゆえ、ハプティック１２０Ｄの操作に起因する患者の眼への損傷は減少され得る。外周面１２８Ｄの滑らかな湾曲はまた、ＩＯＬが適所にあるとき、ＩＯＬの安定性を高めることができるようにする。ハプティック構造１２０Ｄのテクスチャー／特徴１２７Ｄは、さらにＰＣＯを減少させ得る。それゆえ、ＩＯＬの性能が改善され得る。
【００３７】
図５は、ＩＯＬなどの眼用装置用のハプティック構造１２０Ｅの別の例示的な実施形態の断面を示す。明確にするために、図５は、縮尺通りではなく、全ての構成要素が示されているわけではない場合がある。ＩＯＬ、及びその一部であるハプティック１２０Ｅは、ハプティック１２０Ａ、１２０Ｂ、１２０Ｃ及び／又は１２０Ｄに類似している。従って、類似の構成要素は同様の符号を有する。それゆえ、ＩＯＬは、光学部品１１０及びハプティック構造１２０Ａ、１２０Ｂ、１２０Ｃ及び／又は１２０Ｄに類似している光学部品（明白には図示せず）及びハプティック構造１２０Ｅを含む。いくつかの実施形態では、ハプティック構造１２０Ｅは、閉ループハプティック構造であり、ループ１２２Ａに類似しているループを有し、且つ任意選択的にフレーム１２４Ａに類似しているフレームを含む。フレームは省略されてもよく、別のサイズの１つ又は複数のループ及び／又は別の数のループが使用されてもよい。他の実施形態では、ハプティック構造１２０Ｅは、１つ以上の開ループを有し得る。
【００３８】
ハプティック構造１２０Ｅは、面１２８Ａ、１２８Ｂ、１２８Ｃ、及び１２８Ｄ及び１２６Ａ、１２６Ｂ、１２６Ｃ及び１２６Ｄにそれぞれ類似している外周面１２８Ｅ及び内周面１２６Ｅを含む。しかしながら、断面の形状は異なる。断面は、全体的に矩形であるが、丸みを帯びたコーナ及び丸みを帯びた側面を有する。全てのコーナが丸みを帯びて示されているが、いくつかの実施形態では、内周面１２６Ｅの一方又は両方のコーナは鋭くされて、ＰＣＯを軽減し得る。
【００３９】
ハプティック構造１２０Ｅは、患者の転帰を改善し得る。断面の流線形の外周面１２８Ｅは、体外への取り出し及び／又は再位置決めの最中の、水晶体嚢へのハプティック構造１２０Ｅの接着性を低下させ得る。それゆえ、ハプティック１２０Ｅの操作に起因する患者の眼への損傷は減少され得る。外周面１２８Ｅの滑らかな湾曲はまた、ＩＯＬが適所にあるとき、ＩＯＬの安定性を高めることができるようにする。
【００４０】
図６は、ＩＯＬなどの眼用装置用のハプティック構造１２０Ｆの別の例示的な実施形態の断面を示す。明確にするために、図６は、縮尺通りではなく、全ての構成要素が示されているわけではない場合がある。ＩＯＬ、及びその一部であるハプティック１２０Ｆは、ハプティック１２０Ａ、１２０Ｂ、１２０Ｃ、１２０Ｄ及び／又は１２０Ｅに類似している。従って、類似の構成要素は同様の符号を有する。それゆえ、ＩＯＬは、光学部品１１０及びハプティック構造１２０Ａ、１２０Ｂ、１２０Ｃ、１２０Ｄ及び／又は１２０Ｅに類似している光学部品（明白には図示せず）及びハプティック構造１２０Ｆを含む。いくつかの実施形態では、ハプティック構造１２０Ｆは、閉ループハプティック構造であり、ループ１２２Ａに類似しているループを有し、且つ任意選択的にフレーム１２４Ａに類似しているフレームを含む。フレームは省略されてもよく、別のサイズの１つ又は複数のループ及び／又は別の数のループが使用されてもよい。他の実施形態では、ハプティック構造１２０Ｆは、１つ以上の開ループを有し得る。
【００４１】
ハプティック構造１２０Ｆは、外面１２８Ａ、１２８Ｂ、１２８Ｃ、１２８Ｄ及び１２８Ｅ及び内面１２６Ａ、１２６Ｂ、１２６Ｃ、１２６Ｄ及び１２６Ｅにそれぞれ類似している外周面１２８Ｆ及び内周面１２６Ｆを含む。しかしながら、断面の形状は異なる。断面は、全体的に矩形であり、平らな側面を備えるが、丸みを帯びたコーナを有する。全てのコーナが丸みを帯びて示されているが、いくつかの実施形態では、内周面１２６Ｆの一方又は両方のコーナは鋭くされて、ＰＣＯを軽減し得る。ハプティック構造１２０Ｆはコーティング１２９Ｆも有する。ハプティック構造１２０Ｆの面の一部にのみ存在するとして示されているが、コーティング１２９Ｆは、周面１２８Ｆ及び１２６Ｆ全体を含む、より大きな又は異なる領域を被覆してもよい。コーティング１２９ＦはＰＣＯを減少させ得る。例えば、コーティング１２９Ｆは、限定するものではないが、ＰＥＧ及びＥｒｕｆｏｓｉｎｅの１種以上を含み得る。
【００４２】
断面の流線形の外周面１２８Ｆは、体外への取り出し及び／又は再位置決めの最中の、水晶体嚢へのハプティック構造１２０Ｆの接着性を低下させ得る。それゆえ、ハプティック１２０Ｆの操作に起因する患者の眼への損傷が減少され得る。外周面１２８Ｆの滑らかな湾曲はまた、ＩＯＬが適所にあるとき、ＩＯＬの安定性を高めることができるようにする。ハプティック構造１２０Ｆのコーティング１２９Ｆはまた、ＰＣＯを減少させ得る。それゆえ、ＩＯＬの性能が改善され得る。
【００４３】
図７は、ＩＯＬなどの眼用装置用のハプティック構造１２０Ｇの別の例示的な実施形態の断面を示す。明確にするために、図７は、縮尺通りではなく、全ての構成要素が示されているわけではない場合がある。ＩＯＬ、及びその一部であるハプティック１２０Ｇは、ハプティック１２０Ａ、１２０Ｂ、１２０Ｃ、１２０Ｄ、１２０Ｅ及び／又は１２０Ｆに類似している。従って、類似の構成要素は同様の符号を有する。それゆえ、ＩＯＬは、光学部品１１０及びハプティック構造１２０Ａ、１２０Ｂ、１２０Ｃ、１２０Ｄ、１２０Ｅ及び／又は１２０Ｆに類似している光学部品（明白には図示せず）及びハプティック構造１２０Ｇを含む。いくつかの実施形態では、ハプティック構造１２０Ｇは、閉ループハプティック構造であり、ループ１２２Ａに類似しているループを有し、且つ任意選択的にフレーム１２４Ａに類似しているフレームを含む。フレームは省略されてもよく、別のサイズの１つ又は複数のループ及び／又は別の数のループが使用されてもよい。他の実施形態では、ハプティック構造１２０Ｇは、１つ以上の開ループを有し得る。
【００４４】
ハプティック構造１２０Ｇは、外面１２８Ａ、１２８Ｂ、１２８Ｃ、１２８Ｄ、１２８Ｅ及び１２８Ｆ及び内面１２６Ａ、１２６Ｂ、１２６Ｃ、１２６Ｄ、１２６Ｅ及び１２６Ｆにそれぞれ類似している外周面１２８Ｇ及び内周面１２６Ｇを含む。しかしながら、断面の形状は異なる。断面は、滑らかに曲がっている周面１２８Ｇ及び１２６Ｇを有する、単なる有機的形状（ｏｒｇａｎｉｃ  ｓｈａｐｅ）である。さらに、断面は、ＰＣＯを減少させるために、鋭いコーナ１２９Ｇを含む。
【００４５】
断面の流線形の外周面１２８Ｇは、体外への取り出し及び／又は再位置決めの最中の、水晶体嚢へのハプティック構造１２０Ｇの接着性を低下させ得る。それゆえ、ハプティック１２０Ｇの操作に起因する患者の眼への損傷は減少され得る。外周面１２８Ｇの滑らかな湾曲はまた、ＩＯＬが適所にあるとき、ＩＯＬの安定性を高めることができるようにする。ハプティック構造１２０Ｇのコーティング１２９Ｇはまた、ＰＣＯを減少させ得る。それゆえ、ＩＯＬの性能が改善され得る。
【００４６】
図８は、ＩＯＬなどの眼用装置用のハプティック構造１２０Ｈの別の例示的な実施形態の断面を示す。明確にするために、図８は、縮尺通りではなく、全ての構成要素が示されているわけではない場合がある。ＩＯＬ、及びその一部であるハプティック１２０Ｈは、ハプティック１２０Ａ、１２０Ｂ、１２０Ｃ、１２０Ｄ、１２０Ｅ、１２０Ｆ及び／又は１２０Ｇに類似している。従って、類似の構成要素は同様の符号を有する。それゆえ、ＩＯＬは、光学部品１１０及びハプティック構造１２０Ａ、１２０Ｂ、１２０Ｃ、１２０Ｄ、１２０Ｅ、１２０Ｆ及び／又は１２０Ｇに類似している光学部品（明白には図示せず）及びハプティック構造１２０Ｈを含む。いくつかの実施形態では、ハプティック構造１２０Ｈは、閉ループハプティック構造であり、ループ１２２Ａに類似しているループを有し且つ任意選択的にフレーム１２４Ａに類似しているフレームを含む。フレームは省略されてもよく、別のサイズの１つ又は複数のループ及び／又は別の数のループが使用されてもよい。他の実施形態では、ハプティック構造１２０Ｈは、１つ以上の開ループを有し得る。
【００４７】
ハプティック構造１２０Ｈは、外面１２８Ａ、１２８Ｂ、１２８Ｃ、１２８Ｄ、１２８Ｅ、１２８Ｆ及び１２８Ｇ及び内面１２６Ａ、１２６Ｂ、１２６Ｃ、１２６Ｄ、１２６Ｅ、１２６Ｆ及び１２６Ｇにそれぞれ類似している外周面１２８Ｈ及び内周面１２６Ｈを含む。しかしながら、断面の形状は異なる。断面は、ハプティック構造１２０Ａの涙の滴形状に類似している涙の滴形状である。しかしながら、コーナ１２９Ａには丸みが付けられている。内周面１２６Ｈの側面は丸みを帯びて示されているが（すなわち凸状）、他の実施形態では、複数の側面が平坦でも又は凹状でもよい。
【００４８】
ハプティック構造１２０Ｈはまた、テクスチャー又は特徴１２９Ｈ−１と、テクスチャー／特徴１２９Ｈ−１上のコーティング１２９Ｈ−２とを含む。テクスチャー／特徴１２９Ｈ−１は、テクスチャー／特徴１２９Ｃに類似し得る。コーティング１２９Ｈ−２は、コーティング１２７Ｄ又は１２９Ｆに類似し得る。それゆえ、コーティング１２９Ｈ−２はＰＣＯを減少させ得る。コーティング１２９Ｈ−２は、ハプティック構造１２０Ｈの体外への取り出し又は操作を容易にするために使用され得る。
【００４９】
断面の流線形の外周面１２８Ｈは、体外への取り出し及び／又は再位置決めの最中の、水晶体嚢へのハプティック構造１２０Ｈの接着性を低下させ得る。それゆえ、ハプティック１２０Ｈの操作に起因する患者の眼への損傷が減少され得る。外周面１２８Ｈの滑らかな湾曲はまた、ＩＯＬが適所にあるとき、ＩＯＬの安定性を高めることができるようにする。テクスチャー／特徴１２９Ｈ−１はＰＣＯを軽減し得る。ハプティック構造１２０Ｈのコーティング１２９Ｈ−２はまた、ＰＣＯを減少させ得るか、又は体外への取り出し若しくは再位置決めを容易にし得る。それゆえ、ＩＯＬの性能が改善され得る。
【００５０】
図９は、ＩＯＬなどの眼用装置のためのハプティック構造１２０Ｊの別の例示的な実施形態の断面を示す。明確にするために、図９は、縮尺通りではなく、全ての構成要素が示されているわけではない場合がある。ＩＯＬ、及びその一部であるハプティック１２０Ｊは、ハプティック１２０Ａ、１２０Ｂ、１２０Ｃ、１２０Ｄ、１２０Ｅ、１２０Ｆ、１２０Ｇ及び／又は１２０Ｈに類似している。従って、類似の構成要素は同様の符号を有する。それゆえ、ＩＯＬは、光学部品１１０及びハプティック構造１２０Ａ、１２０Ｂ、１２０Ｃ、１２０Ｄ、１２０Ｅ、１２０Ｆ、１２０Ｇ及び／又は１２０Ｈに類似している光学部品（明白には図示せず）及びハプティック構造１２０Ｊを含む。いくつかの実施形態では、ハプティック構造１２０Ｊは、閉ループハプティック構造であり、ループ１２２Ａに類似しているループを有し、且つ任意選択的にフレーム１２４Ａに類似しているフレームを含む。フレームは省略されてもよく、別のサイズの１つ又は複数のループ及び／又は別の数のループが使用されてもよい。他の実施形態では、ハプティック構造１２０Ｊは、１つ以上の開ループを有し得る。
【００５１】
ハプティック構造１２０Ｊは、外面１２８Ａ、１２８Ｂ、１２８Ｃ、１２８Ｄ、１２８Ｅ、１２８Ｆ、１２８Ｇ及び１２８Ｈ及び内面１２６Ａ、１２６Ｂ、１２６Ｃ、１２６Ｄ、１２６Ｅ、１２６Ｆ、１２６Ｇ及び１２６Ｈにそれぞれ類似している外周面１２８Ｊ及び内周面１２６Ｊを含む。しかしながら、断面の形状は異なる。断面は、全体的に、ハプティック構造１２０Ａ及び１２０Ｈの涙の滴形状に類似している涙の滴形状を有する。コーナ１２９Ａは丸みが付けられている。さらに、内周面１２６Ｊの複数の側面は、直線又は凸状ではなく、凹状である。
【００５２】
ハプティック構造１２０Ｊはまた、テクスチャー又は特徴１２９Ｊ−１及びコーティング１２９Ｊ−２を含む。テクスチャー／特徴１２９Ｊ−１は、テクスチャー／特徴１２９Ｃ及び１２９Ｈ−１に類似し得る。それゆえ、テクスチャー／特徴１２９Ｊ−１はＰＣＯを軽減し得る。コーティング１２９Ｊ−２は、コーティング１２７Ｄ又は１２９Ｆに類似し得る。コーティング１２９Ｊ−２はまた、前側に配置され得る。コーティング１２９Ｊ−２は、ＰＣＯを減少させ得る、及び／又はハプティック構造１２０Ｊが操作されているときの水晶体嚢へのハプティック構造１２０Ｊの接着性を低下させ得る。
【００５３】
断面の外周面１２８Ｊの滑らかな湾曲は、体外への取り出し及び／又は再位置決めの最中の、水晶体嚢へのハプティック構造１２０Ｊの接着性を低下させ得る。それゆえ、ハプティック１２０Ｊの操作に起因する患者の眼への損傷を減少させ得る。外周面１２８Ｊの滑らかな湾曲はまた、ＩＯＬが適所にあるとき、ＩＯＬの安定性を高めることができるようにする。テクスチャー／特徴１２９Ｊ−１はＰＣＯを軽減し得る。ハプティック構造１２０Ｊのコーティング１２９Ｊ−２はまた、ＰＣＯを減少させ得るか、又は体外への取り出し若しくは再位置決めを容易にし得る。それゆえ、ＩＯＬの性能が改善され得る。
【００５４】
図１０は、ＩＯＬなどの眼用装置用のハプティック構造１２０ｋの別の例示的な実施形態の断面を示す。明確にするために、図１０は、縮尺通りではなく、全ての構成要素が示されているわけではない場合がある。ＩＯＬ、及びその一部であるハプティック１２０ｋは、ハプティック１２０Ａ、１２０Ｂ、１２０Ｃ、１２０Ｄ、１２０Ｅ、１２０Ｆ、１２０Ｇ、１２０Ｈ及び／又は１２０Ｊに類似している。従って、類似の構成要素は同様の符号を有する。それゆえ、ＩＯＬは、光学部品１１０及びハプティック構造１２０Ａ、１２０Ｂ、１２０Ｃ、１２０Ｄ、１２０Ｅ、１２０Ｆ、１２０Ｇ、１２０Ｈ及び／又は１２０Ｊに類似している光学部品（明白には図示せず）及びハプティック構造１２０Ｋを含む。いくつかの実施形態では、ハプティック構造１２０Ｋは、閉ループハプティック構造であり、ループ１２２Ａに類似しているループを有し、且つ任意選択的にフレーム１２４Ａに類似しているフレームを含む。フレームは省略されてもよく、別のサイズの１つ又は複数のループ及び／又は別の数のループが使用されてもよい。他の実施形態では、ハプティック構造１２０Ｋは、１つ以上の開ループを有し得る。
【００５５】
ハプティック構造１２０Ｋは、外面１２８Ａ、１２８Ｂ、１２８Ｃ、１２８Ｄ、１２８Ｅ、１２８Ｆ、１２８Ｇ、１２８Ｈ及び１２８Ｊ及び内面１２６Ａ、１２６Ｂ、１２６Ｃ、１２６Ｄ、１２６Ｅ、１２６Ｆ、１２６Ｇ、１２６Ｈ及び１２６Ｊにそれぞれ類似している外周面１２８Ｋ及び内周面１２６Ｋを含む。ハプティック１２０Ｋの断面は、ハプティック構造１２０Ｊの断面に適合する。ハプティック構造１２０Ｋはまた、テクスチャー／特徴１２９Ｊ−１及び１２９Ｊ−２にそれぞれ類似しているテクスチャー／特徴１２９Ｋ−１及びコーティング１２９Ｋ−２を含む。しかしながら、コーティング１２９Ｋ−２も、テクスチャー／特徴１２９Ｋ−１から離れて、後側に配置され得る。
【００５６】
断面の外周面１２８Ｋの滑らかな湾曲は、体外への取り出し及び／又は再位置決めの最中の、水晶体嚢へのハプティック構造１２０Ｋの接着性を低下させ得る。それゆえ、ハプティック１２０Ｋの操作に起因する患者の眼への損傷が減少され得る。外周面１２８Ｋの滑らかな湾曲はまた、ＩＯＬが適所にあるとき、ＩＯＬの安定性を高めることができるようにする。テクスチャー／特徴１２９Ｋ−１はＰＣＯを軽減し得る。ハプティック構造１２０Ｋのコーティング１２９Ｋ−２はまた、ＰＣＯを減少させ得るか、又は体外への取り出し若しくは再位置決めを容易にし得る。それゆえ、ＩＯＬの性能が改善され得る。
【００５７】
ハプティック構造１２０Ａ、１２０Ｂ、１２０Ｃ、１２０Ｄ、１２０Ｅ、１２０Ｆ、１２０Ｇ、１２０Ｈ、１２０Ｊ及び１００Ｋの様々な特徴を本明細書で説明してきた。当業者は、これらの特徴の１つ以上を、本明細書で明白に開示しておらず且つ説明した方法及び装置とは矛盾する方法で、組み合わせ得ることを認識するであろう。さらに、上述の通り、各実施形態の寸法及び／又はアスペクト比は変わってもよい。それゆえ、異なる実施形態では、断面の外観は異なり得る。さらに、異なる実施形態の個々の特徴を組み合わせてもよい。例えば、異なる実施形態の断面に示す異なる象限を組み合わせて、新しい実施形態を形成してもよい。さらに、水平軸、垂直軸及び／又は斜交軸の周りで対称であるなど、断面が対称をなすことを求めない。
【００５８】
図１１Ａ、図１１Ｂ及び図１１Ｃは、テクスチャー／特徴１２９Ｃ、１２９Ｈ−１、１２９Ｊ−１及び１２９Ｋ−１のうちの１つ以上に使用され得るテクスチャー及び／又は特徴の様々な実施形態を示す。図１１Ａは、高さｈ−１を有するテクスチャー／特徴１４０Ａを示す。図１１Ｂは、高さｈ−２を有するテクスチャー／特徴１４０Ｂを示す。図１１Ｃは、高さｈ−３を有するテクスチャー／特徴１４０Ｃを示す。テクスチャー／特徴１４０Ａは、正方形のプロファイルを有し、且つ一連の線状として示されている。テクスチャー／特徴１４０Ｂは、特性高さｈ−２を有する鋸歯状である。テクスチャー／特徴１４０Ｃは、線状又は階段状と見られ得るが、湾曲した縁を有する。ナノメートルからミクロンのオーダーの高さｈ−１、ｈ−２及びｈ−３では、アイテム１４０Ａ、１４０Ｂ及び１４０Ｃは、テクスチャーであるとみなされる。数十ミクロン以上のオーダーの高さｈ−１、ｈ−２及びｈ−３では、アイテム１４０Ａ、１４０Ｂ及び１４０Ｃは特徴である。しかしながら、高さｈ−１、ｈ−２及びｈ−３は、ハプティックの断面の曲率半径よりも著しく小さい。さらに、図１１Ａ〜１１Ｃでは特定のパターン及び一定の高さを示すが、テクスチャー／特徴１４０Ａ、１４０Ｂ及び１４０Ｃは、様々な高さ、幅及び／又はピッチを有し得る。さらに、スケールがより小さいと、テクスチャー／特徴１４０Ａ、１４０Ｂ及び／又は１４０Ｃは、単に、ハプティックの表面の粗さと見られ得る。上述のスケールでは、テクスチャー／特徴１４０Ａ、１４０Ｂ及び１４０Ｃは、ＰＣＯを減少させるのを支援し得る。
【００５９】
様々な上記で開示した及び他の特徴及び機能、又はその代替形態は、多くの他の異なる装置又は適用例に望ましくは組み合わせられ得ることが認識される。様々な現在予期しない又は不測の代替例、修正例、変形例又は改良例が、後に当業者によって作られ得、その代替例、変形例及び改良例も、以下の特許請求の範囲に含まれるものとすることも認識される。
【図１Ａ−１Ｄ】
2021500965.tif 000003
【図１Ｅ−１Ｊ】
2021500965.tif 000004
【図２Ａ−２Ｂ】
2021500965.tif 000005
【図３Ａ−３Ｂ】
2021500965.tif 000006
【図４Ａ−４Ｂ】
2021500965.tif 000007
【図５】
2021500965.tif 000008
【図６】
2021500965.tif 000009
【図７】
2021500965.tif 000010
【図８】
2021500965.tif 000011
【図９】
2021500965.tif 000012
【図１０】
2021500965.tif 000013
【図１１Ａ】
2021500965.tif 000014
【図１１Ｂ】
2021500965.tif 000015
【図１１Ｃ】
2021500965.tif 000016
【国際調査報告】
2021500965.tif 000017
2021500965.tif 000018
2021500965.tif 000019